(57)【要約】【課題】制御の簡素化を図ることできる農作業機を提供する。【解決手段】農作業機10は、トラクタＴの後部に連結する機体11を備える。機体11には、支持フレーム21を設ける。支持フレーム21の先端部には、回動機枠22を水平回動可能に設ける。回動機枠22には、畦塗り作業をする畦塗り手段23を設ける。農作業機10は、回動機枠22を支持フレーム21に対して回動させる駆動手段41と、駆動手段41を制御する制御手段42とを備える。圃場の隅部では、トラクタＴが前進旋回走行および後退旋回走行を行い、畦塗り手段23が制御手段42の制御による回動機枠22の回動のみに基づいて畦に沿って移動しながら畦塗り作業をする。【選択図】図１
2008142034.tif 000002
【特許請求の範囲】
【請求項１】
走行車に連結される機体と、
この機体に設けられた支持フレームと、
この支持フレームに回動可能に設けられた回動機枠と、
この回動機枠に設けられ、オフセット作業をする作業手段と、
前記回動機枠を前記支持フレームに対して回動させる駆動手段と、
この駆動手段を制御する制御手段とを備え、
圃場の隅部では、前記走行車が前進旋回走行および後退走行を順に行い、前記作業手段が前記制御手段の制御による前記回動機枠の前記支持フレームに対する回動のみに基づいて作業基準線に沿って移動しながらオフセット作業をする
ことを特徴とする農作業機。
【請求項２】
作業基準線に対する作業終了後、その作業基準線に直交する次工程作業基準線に対する作業を開始するにあたり、走行車の後退走行のみによって作業手段が次工程作業開始位置まで移動する
ことを特徴とする請求項１記載の農作業機。
【請求項３】
支持フレームは機体に回動可能に設けられ、前記支持フレームの前記機体に対する回動により作業手段を走行車の後方位置に格納可能となっている
ことを特徴とする請求項１または２記載の農作業機。
【発明の詳細な説明】
【技術分野】
【０００１】
本発明は、制御の簡素化を図ることできる農作業機に関するものである。
【背景技術】
【０００２】
従来、例えば走行機体であるトラクタの後部に装着され、トラクタから動力を受け、元畦の一部および圃場を耕耘して畦状に盛り上げる耕耘ロ−タを備えた前処理体（盛土体）およびこの前処理体により耕耘された土壌を回転しながら畦に成形するドラム状の整畦体（畦形成体）を備え、前処理体および整畦体を１つのフレーム構造により支持し、かつ１つの伝動フレームから前処理体及び整畦体に動力伝達するようにした畦塗り機であって、伝動フレームを回動中心として前処理体および整畦体を水平方向に回動調節可能とすると共に、伝動フレームの基部側を本体側フレームに対して平行リンクを介して水平方向のオフセット量を調節可能に支持した畦塗り機が知られている（例えば特許文献１参照）。
【０００３】
しかし、この畦塗り機では、圃場の隅部において、トラクタの前進走行と前処理体および整畦体の駆動回転を停止し、電動シリンダを伸ばして前処理体および整畦体を１８０度回動させた後、前処理体および整畦体の駆動回転を再始動させてトラクタを後退走行させなければならず、効率よくオフセット作業ができないおそれがある。
【０００４】
そこで、圃場の隅部における連続的なオフセット作業である畦塗り作業ができるものとして、例えば図９に示す畦塗り機が知られている。
【０００５】
この図９に示す畦塗り機は、走行車であるトラクタＴに連結された固定機枠１と、固定機枠１に上下方向の第１回動中心軸を中心として回動可能に連結された１本の回動アーム体２と、回動アーム体２に上下方向の第２回動中心軸を中心として回動可能に連結された可動機枠３と、可動機枠３に設けられた畦塗り手段（作業手段）４とを備えている。
【０００６】
そして、圃場の隅部におけるトラクタＴの前進旋回走行時に、回動アーム体２の固定機枠１に対する回動と可動機枠３の回動アーム体２に対する回動とに基づき、畦塗り手段４が畦に沿って前方に移動しながら畦塗り作業をする。
【特許文献１】特開２００３−１９９４０５号公報
【発明の開示】
【発明が解決しようとする課題】
【０００７】
しかしながら、このような従来の畦塗り機では、トラクタＴの前進旋回走行に応じて回動アーム体２および可動機枠３の両方を回動制御しなければならず、その制御が複雑になるという問題がある。また、図９に示すように、次工程に移行するあたり、トラクタＴを一旦前進走行させてから、畦塗り手段４が次工程作業開始位置に移動するまでトラクタＴを後退走行させなければならず、次工程を開始するまでに時間がかかる問題もある。
【０００８】
本発明は、このような点に鑑みなされたもので、制御の簡素化を図ることができる農作業機を提供することを目的とする。また、制御の簡素化を図ることができるとともに、次工程を開始するまでの時間の短縮化を図ることができる農作業機を提供することを目的とする。
【課題を解決するための手段】
【０００９】
請求項１記載の農作業機は、走行車に連結される機体と、この機体に設けられた支持フレームと、この支持フレームに回動可能に設けられた回動機枠と、この回動機枠に設けられ、オフセット作業をする作業手段と、前記回動機枠を前記支持フレームに対して回動させる駆動手段と、この駆動手段を制御する制御手段とを備え、圃場の隅部では、前記走行車が前進旋回走行および後退走行を順に行い、前記作業手段が前記制御手段の制御による前記回動機枠の前記支持フレームに対する回動のみに基づいて作業基準線に沿って移動しながらオフセット作業をするものである。
【００１０】
請求項２記載の農作業機は、請求項１記載の農作業機において、作業基準線に対する作業終了後、その作業基準線に直交する次工程作業基準線に対する作業を開始するにあたり、走行車の後退走行のみによって作業手段が次工程作業開始位置まで移動するものである。
【００１１】
請求項３記載の農作業機は、請求項１または２記載の農作業機において、支持フレームは機体に回動可能に設けられ、前記支持フレームの前記機体に対する回動により作業手段を走行車の後方位置に格納可能となっているものである。
【発明の効果】
【００１２】
請求項１に係る発明によれば、圃場の隅部では、走行車が前進旋回走行および後退走行を行い、作業手段が制御手段の制御による回動機枠の支持フレームに対する回動のみに基づいて作業基準線に沿って移動しながらオフセット作業をする構成であるから、制御の簡素化を図ることできる。
【００１３】
請求項２に係る発明によれば、作業基準線に対する作業終了後、その作業基準線に直交する次工程作業基準線に対する作業を開始するにあたり、走行車の後退走行のみによって作業手段が次工程作業開始位置まで移動する構成であるから、次工程を開始するまでの時間の短縮化を図ることができる。
【００１４】
請求項３に係る発明によれば、支持フレームの機体に対する回動により作業手段を走行車の後方位置に格納可能となっているので、運搬時等に作業手段を走行車の後方位置に格納できる。
【発明を実施するための最良の形態】
【００１５】
本発明の農作業機の一実施の形態を図面を参照して説明する。
【００１６】
図１および図２において、10は農作業機（オフセット作業機）である畦塗り機で、この畦塗り機10は、走行車であるトラクタＴの後部に連結して使用する牽引式のものである。
【００１７】
畦塗り機10は、トラクタＴの後部の３点リンク（作業機昇降支持装置）Ｔ1に連結固定された固定機枠等の機体11を備えている。なお、トラクタＴは、走行手段として左右の前輪Ｔ2および左右の後輪Ｔ3等を有している。
【００１８】
機体11は、連結部であるトラクタ連結部12を有し、このトラクタ連結部12は、例えば先端にトップピン13が取り付けられた中央のトップマスト14と、先端にロワピン15が取り付けられた左右のロワアーム16とにて構成されている。機体11は、軸保持部を有し、この軸保持部に入力軸が回転可能に設けられ、この入力軸はトラクタＴのＰＴＯ軸にユニバーサルジョイント等を介して接続されている。
【００１９】
また、機体11は、後方に向って突出状のフレーム被取付部18を有している。フレーム被取付部18には、長手状の支持フレーム21の一端部である前端部が上下方向の回動中心軸線（格納用回動支点）Ｘ1を中心として回動可能に取り付けられている。支持フレーム21の他端部である後端部には、回動機枠22が上下方向の回動中心軸線（回動支点）Ｘ2を中心として回動可能に取り付けられている。すなわち支持フレーム21の先端側に回動機枠22が水平方向に回動可能に設けられている。
【００２０】
そして、回動機枠22には、トラクタＴの走行により圃場の一辺に沿った作業基準線である畦Ａに沿って移動しながら、畦塗り作業（オフセット作業）をする作業手段である畦塗り手段23が設けられている。
【００２１】
畦塗り手段23は、田面および元の畦Ａの土を耕耘して畦Ａ上に盛り上げる回転可能な盛土体（ロータリ）25と、盛土体25の後方位置でその盛土体25にて盛り上げられた土を締め固めて新たな畦Ａを形成する回転可能な畦形成体（ディスク）26と、盛土体25の前方位置で畦Ａの上面を削る回転可能な上面削り体（前処理ロータリ）27とを有している。
【００２２】
盛土体25は、例えば回転軸29と、この回転軸29に設けられた複数の耕耘爪30とにて構成されている。複数の耕耘爪30は、カバー31にて覆われている。畦形成体26は、例えば回転軸32と、回転軸32に設けられ傾斜状の畦側面を形成する截頭円錐状の畦側面形成部33と、回転軸32に設けられ畦上面を形成する円筒状の畦上面形成部34とにて構成されている。そして、盛土体25、畦形成体26および上面削り体27は、いずれも入力軸からの動力を動力伝達手段（図示せず）を介して受けて所定方向に駆動回転する。
【００２３】
また、畦塗り機10は、回動機枠22を支持フレーム21に対して回動させる駆動手段41と、駆動手段41に電気的に接続され検知手段（図示せず）からの検知信号に基づいてその駆動手段41を制御する制御手段42とを備えている。駆動手段41は、例えば伸縮可能なシリンダ（電動油圧シリンダ、油圧シリンダ等）43にて構成されている。シリンダ43は、シリンダ部44およびこのシリンダ部44に対して出入りするロッド部45を有している。シリンダ部44の基端が支持フレーム21に回動可能に取り付けられ、ロッド部45の先端が回動機枠22に回動可能に取り付けられている。
【００２４】
検知手段は、例えば畦塗り手段23の回動角度を検知するともに畦塗り手段23の作業基準線つまり畦Ａに対する角度を検知する手段である。また例えば畦塗り手段23と畦Ａとの間の距離を検知する手段や、畦Ａの位置を検知する手段等でもよい。
【００２５】
そして、図１に示すように、圃場の隅部では、トラクタＴが前進旋回走行および後退旋回走行を順に行い、このトラクタＴの旋回走行に応じて、畦塗り手段23が制御手段42の制御による回動機枠22の支持フレーム21に対する回動のみに基づいて畦Ａに沿って前方に向って畦Ａの端部まで移動しながら、畦塗り作業をする。
【００２６】
また、一の畦Ａ（図１中、上下方向に長手状の畦）に対する畦塗り作業終了後、その一の畦Ａに直交する次工程作業基準線である他の畦（図１中、左右方向に長手状の畦）Ａに対する畦塗り作業を開始するにあたり、トラクタＴの後退旋回走行のみによって、畦塗り手段23が次工程作業開始位置（他の畦Ａの端部）まで移動する。すなわち、一の畦Ａに対する畦塗り作業終了後、トラクタＴをさらに後退旋回走行させることのみによって、畦塗り手段23を次工程作業開始位置まで移動させることが可能となっている。なお、図２の２点鎖線で示すように、支持フレーム21の機体11に対する回動により畦塗り手段23をトラクタＴの後方位置に格納状態として格納可能となっている。
【００２７】
また、図３に示すように、畦塗り手段23が通常作業状態（トラクタＴの前進直進走行に基づく作業状態）に設定された状態では、畦塗り手段23の少なくとも一部、例えば畦形成体（ディスク）26全体は、トラクタＴの最小旋回半径での旋回時におけるトラクタＴの軌跡円ａに対する接線ｂより外側に位置する。
【００２８】
また、この図３に示す状態では、前輪Ｔ2の軸線と後輪Ｔ3の軸線との間の距離ｃは、回動中心軸線（回動支点）Ｘ2と直交する左右方向の線と後輪Ｔ3の軸線との間の距離ｄより短くなっている。
【００２９】
さらに、圃場の隅部でのトラクタＴの前進旋回開始位置は、次工程作業基準線から作業基準線に沿って所定距離、すなわち例えばトラクタＴの前端位置と回動中心軸線（回動支点）Ｘ2と直交する左右方向の線との間の距離ｅだけ離れた位置である。
【００３０】
次に、上記畦塗り機10の動作等を説明する。
【００３１】
畦塗り手段23を通常作業状態に設定した状態で、トラクタＴを前進直進走行させると、畦塗り手段23は、通常作業状態を維持したまま、圃場の一辺に沿った一の畦Ａに沿って移動しつつその一の畦Ａに対して畦塗り作業をする。
【００３２】
図４に示すように、圃場の隅部に到達すると、トラクタＴに乗った作業者はハンドルを切ってトラクタＴを前進旋回走行させる。この際、畦塗り手段23は、制御手段42の制御による回動機枠22の支持フレーム21に対する回動のみに基づいて一の畦Ａに沿って移動しながら、その一の畦Ａに対して畦塗り作業をする。
【００３３】
次いで、図５に示すように、作業者はトラクタＴを所定の停止位置、例えばトラクタＴの前輪Ｔ2が他の畦Ａに接触する直前で、一旦停止させた後、図６に示すように、作業者はハンドルを逆に切ってトラクタＴを若干の距離だけ後退旋回走行させる。この際、畦塗り手段23は、制御手段42の制御による回動機枠22の支持フレーム21に対する回動のみに基づいて一の畦Ａに沿ってその一の畦Ａの端部まで移動しながら、その一の畦Ａに対して畦塗り作業をする。こうして、一の畦Ａ全体に対する畦塗り作業が終了する。
【００３４】
続いて、その一の畦Ａに直交する他の畦Ａに対する畦塗り作業を開始する場合、まず、図７に示すように、回動機枠22を支持フレーム21に対して回動させることによって、畦塗り手段23をもとの通常作業状態に設定する。
【００３５】
次いで、３点リンク（作業機昇降支持装置）Ｔ1で畦塗り機10全体を上昇させた後、図８に示すように、トラクタＴをさらに後退旋回走行させることで畦塗り手段23を次工程作業開始位置まで移動させる。そして、３点リンクＴ1で畦塗り機10全体を下降させた後、トラクタＴを前進直進走行させると、畦塗り手段23は、通常作業状態を維持したまま、圃場の一辺に沿った他の畦Ａに沿って移動しつつ畦塗り作業をする。
【００３６】
このように、畦塗り機10によれば、畦Ａが直角に交わる圃場の隅部では、トラクタＴが前進旋回走行および後退旋回走行を行い、このトラクタＴの旋回走行に応じて畦塗り手段23が制御手段42の制御による回動機枠22の支持フレーム21に対する回動のみに基づいて畦Ａに沿って畦Ａの端部まで移動しながら、畦塗り作業をする構成であるから、従来の構成に比べて、制御手段42による駆動手段41の制御の簡素化を図ることでき、製造コストを低減できる。
【００３７】
また、一の畦Ａに対する畦塗り作業終了後、その一の畦Ａに直交する他の畦Ａに対する畦塗り作業を開始するにあたり、トラクタＴの後退旋回走行のみによって畦塗り手段23を他の畦Ａに対する次工程作業開始位置まで移動できるため、従来のようにトラクタＴを一旦前進走行させる必要がなく、次工程の畦塗り作業を開始するまでの時間の短縮化を図ることができ、効率良く作業ができる。
【００３８】
さらに、支持フレーム21の機体11に対する回動により畦塗り手段23をトラクタＴの後方位置に格納可能となっているので、運搬時等に畦塗り手段23をトラクタＴの後方位置に格納でき、容易に運搬等を行うことができる。
【００３９】
なお、農作業機は、オフセット作業である畦塗り作業をする畦塗り機以外に、オフセット作業である溝掘作業する溝掘機等でもよい。
【００４０】
また、支持フレーム21が機体11のフレーム被取付部18に回動可能に設けられた構成には限定されず、例えば支持フレーム21を機体11のフレーム被取付部18に固設した構成等でもよい。
【００４１】
さらに、例えば畦塗り手段23のトラクタＴ側方への突出量を少なくできるように、支持フレーム21を伸縮可能な構成としてもよい。
【図面の簡単な説明】
【００４２】
【図１】本発明の一実施の形態に係る農作業機の平面図および動作説明図である。
【図２】同上農作業機の平面図である。
【図３】同上農作業機の説明図である。
【図４】同上農作業機の動作説明図である。
【図５】図４に続く動作説明図である。
【図６】図５に続く動作説明図である。
【図７】図６に続く動作説明図である。
【図８】図７に続く動作説明図である。
【図９】従来の農作業機の平面図および動作説明図である。
【符号の説明】
【００４３】
10    農作業機である畦塗り機
11    機体
21    支持フレーム
22    回動機枠
23    作業手段である畦塗り手段
41    駆動手段
42    制御手段
Ｔ    走行車であるトラクタ
【図１】
2008142034.tif 000003
【図２】
2008142034.tif 000004
【図３】
2008142034.tif 000005
【図４】
2008142034.tif 000006
【図５】
2008142034.tif 000007
【図６】
2008142034.tif 000008
【図７】
2008142034.tif 000009
【図８】
2008142034.tif 000010
【図９】
2008142034.tif 000011